(57)【特許請求の範囲】
【請求項１】
加熱コイルと、前記加熱コイルの周囲に設けられ前記加熱コイルの発生する磁束を相殺する磁気シールド部材と、前記加熱コイルの上部に設けられたトッププレートと、ファンを備え、前記磁気シールド部材は略半径方向に複数の切欠き溝を備え、前記ファンにより吸入した冷却風は前記切欠き溝に侵入することを特徴とした誘導加熱調理器。
【発明の詳細な説明】
【０００１】
【発明の属する技術分野】
本発明は加熱コイルから発生されて周囲に漏洩する磁界を低減する磁気シールド用部材を備えた誘導加熱調理器に関する。
【０００２】
【従来の技術】
従来この種の誘導加熱調理器は，例えば特許第３１６３５２０号公報に記載されているようなものがあった。図５（ａ）は従来例の誘導加熱調理器の側断面図、図５（ｂ）は同誘導加熱調理器の要部分解斜視図である。
【０００３】
図に示すように樹脂製の本体１の底面に設けられた支柱２の上には加熱コイル保持台３が載置され、ねじ４により固定されている。加熱コイル保持台３には加熱コイル５が載置され、その上部にはセラミック製のトッププレート６が配設されている。加熱コイル５はコイルホルダー７によりその周辺部が加熱コイル保持台３に押さえつけられて固定され、本体１内に配設されたインバータなどの周波数変換装置８から高周波電流が供給される。加熱コイル３の外周にはシールド部材１０を装着するための装着部１２が設けられている。
【０００４】
シールド部材１０は帯状の導電板をリング状に巻き、両端部１１を接続して閉ループ状に形成され装着部１２内に装着されている。またシールド部材１０と装着部１２の間には合成樹脂もしくは接着剤が介装されている。
【０００５】
【発明が解決しようとする課題】
しかしながら、前記従来の構成では、磁気シールド部材は漏洩磁界を低減はするが低減効果が十分なものでなかった。本発明は磁気シールド部材の漏洩磁界低減効果を高めるとともに、磁気シールド部材自身に流れる誘導電流による発熱で磁気シールド部材自身が温度上昇するのを抑制することを目的とする。
【０００６】
【課題を解決するための手段】
前記従来の課題を解決するために、本発明の誘導加熱調理器は、加熱コイルと、前記加熱コイルの周囲に設けられ前記加熱コイルの発生する磁束を相殺する磁気シールド部材と、前記加熱コイルの上部に設けられたトッププレートと、ファンを備え、前記磁気シールド部材は略半径方向に複数の切欠き溝を備え、前記ファンにより吸入した冷却風は前記切欠き溝に侵入することにより磁気シールド部材の温度上昇抑制効果を向上させることができる。
【０００７】
【発明の実施の形態】
請求項１記載の発明は、特に、加熱コイルと、前記加熱コイルの周囲に設けられ前記加熱コイルの発生する磁束を相殺する磁気シールド部材と、前記加熱コイルの上部に設けられたトッププレートと、ファンを備え、前記磁気シールド部材は略半径方向に複数の切欠き溝を備え、前記ファンにより吸入した冷却風は前記切欠き溝に侵入することにより磁気シールド部材の温度上昇抑制効果を向上させることができる。
【０００８】
【実施例】
（実施例１）
本発明の実施例１について図１により説明する。図１（ａ）は本発明の実施例１の誘導加熱調理器の断面図、図１（ｂ）は同要部分解斜視図、図１（ｃ）は同要部断面図である。図に示すように本体１１の底面に設けられた支柱１２の上には加熱コイル支持台１３が載置され、ねじ１４により固定されている。加熱コイル支持台１３は加熱コイル１５が載置され、その上部にセラミック製のトッププレート１６が配設されている。加熱コイル１５はコイルホルダー１７によりその周辺部が加熱コイル保持台１３に押さえつけられて固定され、本体１１内に配設されたインバーターなどの周波数変換装置１８から高周波電流が供給される。加熱コイル保持台１３の外側面には溝１９を設け、この溝１９内には板状のアルミ板を断面が凹状にプレス加工して形成した磁気シールド部材２０が挿入されて固定されている。
【０００９】
本体１１内にはファン２２を備え、矢印に示すように温度の低い外気を吸入し、前記した本体内部の構成部材を冷却して温度上昇した空気は本体１１外へ排出される。冷却風の一部は加熱コイル１５とトッププレート１６の間の隙間を通り磁気シールド部材２０及び加熱コイル１５を冷却する。
【００１０】
前記構成に於いて、加熱コイル１５に周波数変換装置１８から高周波電流が供給されると加熱コイル１５から磁界が発生する。この磁界はトッププレート１６上に載置されたたとえば鉄製の鍋に鎖交して鍋に渦電流を発生させ、これにより鍋がジュール熱により発熱する。
【００１１】
加熱コイル１５から発生する磁界は磁気シールド部材２０に誘導電流を発生させ加熱コイル１５から発生されて周囲に漏洩する磁界を抑制することができる。
【００１２】
漏洩する磁界の強度は一例として図２のチャートに示すように磁気シールド部材２０の断面積の大きさにより変化する（この場合のデータは商用電源周波数成分の測定結果によるものである）。従って、加熱コイル１５からの商用電源周波数における磁界の漏洩量を少なくするため、磁気シールド部材２０はある程度大きな断面積が必要となる。磁気シールド部材２０は、断面が凹形状であるので加熱コイル１５に垂直な壁が加熱コイル１５の周囲に２重に配置されることになり、各々の壁に誘導電流が発生して相殺磁界の量が増加して、加熱コイル１５からの磁界を低減することができる。また、磁気シールド部材２０は誘起された電流により発生し温度上昇するが、上方に開口した凹部を形成してなるので、磁気シールド部材２０の冷却効果を高めその温度上昇を抑制することができる。
【００１３】
なお、冷却効果の低下を考慮しなければ、下方に開口した凹部を磁気シールド部材２０を設けることにより、加熱コイル１５からの磁界の低減効果を高めることができるものである。
【００１４】
（実施例２）
図３（ａ）は本実施例２の磁気シールド部材の装着状態を示す分解斜視図、図３（ｂ）は同要部断面図を示す。全体の構成は既に説明した実施例１と同じであるので説明は省略する。同じ構成部材は同じ符号を付している。実施例１と異なるところは磁気シールド部材２０は、アルミニウム製で鋳造により（アルミダイキャスト）で形成されている点、上方に開口したループ状の溝２３が完全な平面円形状でなく円弧状となっている点である。
【００１５】
上記構成において、磁気シールド部材２０がアルミダイキャストにより形成されているので、加熱コイル１５の外周に略平行な上方に開口した凹部を容易に形成することができる。また、磁気シールド部材２０を鋳造で形成するので、その断面積を大きくすることができ、商用電源周波数あるいはその付近の低周波磁界を低減する効果を高めることができる。
【００１６】
なお溝２３が円弧状になっているのは、径方向の仕切壁２０ａの部分に加熱コイル１５あるいは磁気シールド部材２０を加熱コイル保持台１３に固定するための部品を取り付ける（例えば図１コイルホルダー１７をこの仕切壁の２０ａの上に位置させてネジで締め付ける）ことができるようにするためで、この仕切壁２０ａは、場合によって磁界分布を乱す可能性があるので、その程度を考慮して、あるいは、他の磁界分布補正手段（例えば磁性体をさらに設けるなど）を付加して、適宜削除したり、設けたりすることができる。
【００１７】
（実施例３）
図４は本実施例３の磁気シールド部材の最外周に複数の切欠き溝を設けた図である。実施例２と異なる点は磁気シールド部材２０に半径方向に複数の切欠き溝２４を設けている点である。冷却風はこの切欠き溝２４から中心方向に侵入するため磁気シールド部材２４の温度上昇がさらに抑制される。
【００１８】
【発明の効果】
以上のように本発明によれば加熱コイルからの磁界漏洩の抑制効果を高めるとともに、磁気シールド部材自身の温度上昇が抑制され、周囲の部材に与える影響を少なくして誘導加熱調理器の品質の向上ができる。
【図面の簡単な説明】
【図１】  （ａ）本発明の実施例１における誘導加熱調理器の断面図
（ｂ）同要部分解斜視図
（ｃ）同要部断面図
【図２】  磁気漏洩強度と磁気シールド部材の断面積の関係を示すチャート
【図３】  （ａ）本発明の実施例２における誘導加熱調理器の要部分解斜視図
（ｂ）同要部断面図
【図４】  本発明の実施例３における誘導加熱調理器の要部分解斜視図
【図５】  （ａ）従来の誘導加熱調理器の断面図
（ｂ）同要部分解斜視図
【符号の説明】
１１  本体
１３  加熱コイル支持台
１５  加熱コイル
１６  トッププレート
１８  周波数変換装置（電気回路装置）
２０  磁気シールド部材
２１  凹部
２２  ファン
２３  溝（凹部）
２４  切欠き溝
【図１】
0003979083.tif 000002
【図２】
0003979083.tif 000003
【図３】
0003979083.tif 000004
【図４】
0003979083.tif 000005
【図５】
0003979083.tif 000006